(57)【要約】【課題】  磁気検出手段により磁気の変化を検出することが可能な範囲を広げる。【解決手段】  本発明に係るパチンコ機１は、ガイドレール４０によって遊技領域が区画された遊技盤１０を備える。ガイドレール４０が磁性体により形成されている。そして、ガイドレール４０の磁気の変化を検出する磁気検出手段５０を備える。【選択図】  図４
2012161519.tif 000002
【特許請求の範囲】
【請求項１】
ガイドレールによって遊技領域が区画された遊技盤を備える遊技機であって、
前記ガイドレールを磁性体により形成し、
前記ガイドレールの磁気の変化を検出する磁気検出手段を備えることを特徴とする遊技機。
【請求項２】
前記ガイドレールは、他の部分と比べて複雑な形状に形成された磁気検出部を有し、
前記磁気検出手段は、前記磁気検出部の磁気の変化を検出することを特徴とする請求項１に記載の遊技機。
【請求項３】
前記ガイドレールは、軟磁性材料により形成されていることを特徴とする請求項１又は２に記載の遊技機。
【請求項４】
前記磁気検出手段は、前記ガイドレールが取り付けられるガイドレールユニットに配設されていることを特徴とする請求項１乃至３のうちいずれか一項に記載の遊技機。
【発明の詳細な説明】
【技術分野】
【０００１】
本発明は、遊技盤に磁気検出手段を備える遊技機に関する。
【背景技術】
【０００２】
従来、磁石を用いて遊技球を入賞口へ誘導する不正行為を防止するために、遊技盤において磁気センサ（磁気検出手段）を備える遊技機が知られている（特許文献１参照）。
この遊技機では、遊技盤に磁性体からなる板材（以下、磁性体板とする）を配設することによって、磁気センサにより磁気の変化を検出することが可能な範囲を広げている。
【先行技術文献】
【特許文献】
【０００３】
【特許文献１】特開２０１０−１８３９６０号公報
【発明の概要】
【発明が解決しようとする課題】
【０００４】
しかしながら、特許文献１に係る遊技機では、磁気検出手段により磁気の変化を検出することが可能な範囲を十分に広げることができない。
すなわち、特許文献１に係る遊技機では、磁性体板が、遊技領域内に取り付けられたステージ装飾部の内側に配設されている。
したがって、遊技盤の構成上、磁性体板を配設できる位置が限定され、磁気検出手段により磁気の変化を検出することが可能な範囲を十分に広げることができない。
本発明の課題は、磁気検出手段により磁気の変化を検出することが可能な範囲を広げることである。
【課題を解決するための手段】
【０００５】
上記課題を解決するために、第一の発明に係る遊技機は、ガイドレールによって遊技領域が区画された遊技盤を備える遊技機であって、前記ガイドレールを磁性体により形成し、前記ガイドレールの磁気の変化を検出する磁気検出手段を備えることを特徴とする。
第一の発明に係る遊技機では、ガイドレールが磁性体により形成されているとともに、磁気検出手段が、ガイドレールの磁気の変化を検出する。
【０００６】
これにより、磁石がガイドレール付近に配置されると、ガイドレールが磁化されて（ガイドレールの磁気が変化して）、ガイドレールの磁気の変化が磁気検出手段により検出される。
したがって、第一の発明に係る遊技機では、磁気検出手段により磁気の変化を検出することが可能な範囲を広げることが可能となる。
ここで、ガイドレールとしては、例えば、後述するガイドレール４０が該当する。遊技領域としては、例えば、後述する遊技領域Ｒが該当する。遊技盤としては、例えば、後述する遊技盤１０が該当する。磁気検出手段としては、例えば、後述する磁気検出手段５０が該当する。
【０００７】
また、第二の発明に係る遊技機は、第一の発明に係る遊技機において、前記ガイドレールは、他の部分と比べて複雑な形状に形成された磁気検出部を有し、前記磁気検出手段は、前記磁気検出部の磁気の変化を検出することを特徴とする。
第二の発明に係る遊技機では、磁石がガイドレール付近に配設された場合に、磁気検出部の磁気の変化量が、他の部分の磁気の変化量と比べて大きくなる。
したがって、第二の発明に係る遊技機によれば、磁気検出手段による磁気の変化の検出精度をより高めることが可能となる。
ここで、磁気検出部としては、例えば、後述する磁気検出部４１が該当する。
【０００８】
第三の発明に係る遊技機では、第一又は第二の発明に係る遊技機において、前記ガイドレールは、軟磁性材料により形成されていることを特徴とする。
第三の発明に係る遊技機では、磁石による外部磁界が無くなった後に、ガイドレールにおいて磁気が保持され難くなる。
したがって、第三の発明に係る遊技機によれば、磁石による外部磁界が無くなった後において、ガイドレールが磁気を保持し続けることによる磁気検出手段の誤検出を防止することが可能となる。
【０００９】
第四の発明に係る遊技機は、第一乃至第三のうちいずれか一の発明に係る遊技機において、前記磁気検出手段は、前記ガイドレールが取り付けられるガイドレールユニットに配設されていることを特徴とする。
第四の発明に係る遊技機によれば、遊技盤の構成を問わずに、ガイドレール及び磁気検出手段を適用することができ、汎用性を向上することが可能となる。
ここで、ガイドレールユニットとしては、例えば、後述するガイドレールユニット３０が該当する。
【発明の効果】
【００１０】
本発明によれば、磁気検出手段により磁気の変化を検出することが可能な範囲を広げることが可能となる。
【図面の簡単な説明】
【００１１】
【図１】パチンコ機の全体構成を示す斜視図である。
【図２】遊技盤の正面図である。
【図３】遊技盤の斜視図である。
【図４】ガイドレールユニットの斜視図である。
【図５】パチンコ機の制御系の構成を示すブロック図である。
【図６】第一実施例に係るガイドレール及び磁石の配置を示す図である。
【図７】各ガイドレール４０ａ，４０ｂ，４０ｃを用いた場合の磁気検出範囲を示す図である。
【図８】第二実施例に係るガイドレール及び磁石の配置を示す図である。
【図９】ガイドレール４０ａを用いた場合の磁気検出範囲を示す図である。
【図１０】ガイドレール４０ｂを用いた場合の磁気検出範囲を示す図である。
【図１１】ガイドレール４０ｃを用いた場合の磁気検出範囲を示す図である。
【発明を実施するための形態】
【００１２】
以下、本発明の実施形態を図面を参照しながら説明する。
本実施形態では、本発明に係る遊技機を、磁性体により形成された遊技球を用いて遊技を行うパチンコ機１に適用している。
（遊技機の全体構成）
まず、パチンコ機１の全体構成を説明する。
図１は、パチンコ機の全体構成を示す斜視図である。
図１に示すように、パチンコ機１は、矩形状の枠本体２と、枠本体２の前側に開閉可能に配設された前枠３と、前枠３の前側上部に開閉可能に配設された前扉４と、前扉４の下方に配設された受皿ユニット５と、受皿ユニット５の側方に配設された発射ハンドル６と、を備えている。
【００１３】
前枠３には、遊技盤１０（図２参照）が取り付けられ、遊技盤１０の前側を前扉４が覆っている。前扉４は、前枠３に取り付けられた遊技盤１０の前側に対応する位置に配設された透明板４ａと、透明板４ａの周囲に配設された装飾部４ｂと、を有している。
装飾部４ｂは、前方に向かって膨出する形状を有している。装飾部４ｂの上部には、装飾部４ｂの内部に配設されたスピーカ１５３（図５参照）が出力する音声を通過させるための複数の音抜孔４ｃが設けられている。
受皿ユニット５は、遊技球（貸し球、払出球）を受ける受皿５ａを有している。
パチンコ機１では、発射ハンドル６を操作することによって、遊技盤１０の後述する遊技領域Ｒに遊技球を発射することが可能となっている。
【００１４】
（遊技盤の構成）
次に、パチンコ機１に備えられる遊技盤１０の構成を説明する。
図２は、遊技盤の正面図である。図３は、遊技盤の斜視図である。図４は、ガイドレールユニットの斜視図である。
図２から図４に示すように、遊技盤１０は、セル板２０と、セル板２０に取り付けられたガイドレールユニット３０と、ガイドレールユニット３０に取り付けられたガイドレール４０及び磁気検出手段５０と、を備えている。
【００１５】
セル板２０は、平板状に形成されている。本実施形態では、セル板２０は、アクリル等の透明な樹脂によって形成されている。セル板２０の正面には、ガイドレール４０によって、遊技球が転動する領域である遊技領域Ｒが形成（区画）される。また、セル板２０の正面には、ガイドレールユニット３０によって、発射ハンドル６の操作に応じて発射された遊技球を遊技領域Ｒに案内する案内通路Ｓ１が形成される。
【００１６】
セル板２０の遊技領域Ｒには、演出ユニット設置用貫通孔２１と、複合入賞装置設置用貫通孔２２と、第二始動入賞装置設置用貫通孔２３と、ゲート装置設置用貫通孔２４と、一般入賞口用貫通孔２５と、アウト口用貫通孔２６と、が設けられている。
演出ユニット設置用貫通孔２１は、セル板２０の中央部に設けられている。パチンコ機１では、セル板２０の背面側に、演出画像を表示可能な表示装置１５１（図５参照）が配設される。そして、遊技者は、演出ユニット設置用貫通孔２１を介して、表示装置１５１に表示された演出画像を視認することが可能となっている。
【００１７】
また、演出ユニット設置用貫通孔２１には、表示装置１５１の下方の位置において遊技球を転動させることが可能なステージ、表示装置１５１の周囲に配設される可動役物、表示装置１５１の周囲を装飾する装飾部材等を有する演出ユニット（図示せず）が取り付けられる。
複合入賞装置設置用貫通孔２２は、演出ユニット設置用貫通孔２１の下方に設けられている。複合入賞装置設置用貫通孔２２には、第一始動入賞装置及び大入賞装置を有する複合入賞装置（図示せず）が取り付けられる。ここで、第一始動入賞装置は、遊技球の入賞に応じて、特別図柄抽選の契機を与える。大入賞装置は、特別図柄抽選に当選した場合に所定パターンで開放され、遊技球の入賞に応じて、賞球の払い出しの契機を与える。
【００１８】
第二始動入賞装置設置用貫通孔２３は、複合入賞装置設置用貫通孔２２の右方に設けられている。第二始動入賞装置設置用貫通孔２３には、第二始動入賞装置（図示せず）が取り付けられる。ここで、第二始動入賞装置は、後述する普通図柄抽選に当選した場合に所定パターンで開放され、遊技球の入賞に応じて、特別図柄抽選の契機を与える。
ゲート装置設置用貫通孔２４は、第二始動入賞装置設置用貫通孔２３の上方に設けられている。ゲート装置設置用貫通孔２４には、ゲート装置（図示せず）が取り付けられる。ここで、ゲート装置は、遊技球の通過に応じて、普通図柄抽選の契機を与える。
【００１９】
一般入賞口用貫通孔２５は、複合入賞装置設置用貫通孔２２の左方に設けられている。本実施形態では、３つの一般入賞口用貫通孔が設けられている。各一般入賞口用貫通孔２５は、一般入賞口（図示せず）を構成する。各一般入賞口は、遊技球の入賞に応じて、賞球の払い出しの契機を与える。
アウト口用貫通孔２６は、複合入賞装置設置用貫通孔２２の下方に設けられている。アウト口用貫通孔２６は、いずれの入賞装置（入賞口）にも入賞しなかった遊技球を遊技領域Ｒから排出するためのものである。
【００２０】
セル板２０の遊技領域Ｒには、案内通路Ｓ１を介して遊技領域Ｒに打ち出された遊技球が転動する経路として、左側転動経路Ｓ２と、右側転動経路Ｓ３と、が形成されている。左側転動経路Ｓ２及び右側転動経路Ｓ３は、演出ユニット設置用貫通孔２１に取り付けられた演出ユニットによって形成される。左側転動経路Ｓ２は、遊技球が、演出ユニットの左側から下方に向かって転動する経路である。また、右側転動経路Ｓ３は、遊技球が、演出ユニットの上側を通過して、演出ユニットの左側から下方に向かって転動する経路である。
【００２１】
そして、第一始動入賞装置、大入賞装置及び一般入賞口は、主として、遊技領域Ｒに発射された遊技球のうち左側転動経路Ｓ２を転動する遊技球が入賞するように配置されている。また、ゲート装置及び第二始動入賞装置は、主として、遊技領域Ｒに発射された遊技球のうち右側転動経路Ｓ３を転動する遊技球が入賞（通過）するように配置されている。なお、セル板２０の遊技領域Ｒには、各入賞装置（入賞口、ゲート）等に遊技球を導くように、複数の釘（図示せず）が配設されている。
【００２２】
ガイドレールユニット３０は、樹脂により形成されている。図２から図４に示すように、ガイドレールユニット３０は、外ガイドレール部３１と、内ガイドレール部３２と、を有している。内ガイドレール部３２及び外ガイドレール部３３は、それぞれ個別の部材となっている。ガイドレールユニット３０は、ネジ止めによって、セル板２０の正面に取り付けられている。
【００２３】
外ガイドレール部３１は、遊技領域Ｒの左方を囲む内側面３１ａと、遊技領域Ｒの上方を囲む内側面３１ｂと、を有している。内側面３１ａは、案内通路Ｓ１の外側の壁面を形成する。内側面３１ａ及び内側面３１ｂは、正面から見て、遊技領域Ｒを中心として円弧状に延びるように、互いに一連に形成されている。
内ガイドレール部３２は、遊技領域Ｒの右上方から下方までを囲む第一構成部３３と、外ガイドレール部３１の内側（遊技領域Ｒ側）に配設された第二構成部３４と、を有してる。第一構成部３３及び第二構成部３４は、互いに一連に形成されている。
【００２４】
第一構成部３３は、遊技領域Ｒの右上方から下方までを囲む内側面３３ａを有している。第二構成部３４は、遊技領域Ｒの左方を囲む内側面３４ａ及び外側面３４ｂを有している。内側面３３ａ及び内側面３４ａは、正面から見て、遊技領域Ｒを中心として円弧状に延びるように、互いに一連に形成されている。外側面３４ｂは、内側面３１ａに対して略平行に延び、案内通路Ｓ１の内側の壁面を形成する。
【００２５】
図４に示すように、内ガイドレール部３２には、磁気検出手段５０が取り付けられるセンサ取り付け部３８が設けられている。本実施形態では、センサ取り付け部３８は、内ガイドレール部３２における第二始動入賞装置の側方の位置及び一般入賞口の側方の位置のそれぞれに設けられている。各センサ取り付け部３８は、内ガイドレール部３２の背面に設けられている。各センサ取り付け部３８は、一対の保持片からなり、両保持片の間に磁気検出手段５０を挟み込むことによって、磁気検出手段５０を保持する。
【００２６】
ガイドレール４０は、帯状の板材を湾曲させることによって形成されている。本実施形態では、ガイドレール４０は、内側面３１ｂ、内側面３３ａ及び内側面３４ａに沿って配設されている。ガイドレール４０は、内側面３１ｂ、内側面３３ａ及び内側面３４ａを覆うように一連に形成されている。これによって、ガイドレール４０の内側面４０ａが、遊技領域Ｒの外周の略全体を区画する。なお、内側面３１ｂ、内側面３３ａ及び内側面３４ａに一連の溝部を設け、この溝部内にガイドレール４０を埋め込むように取り付けても構わない。
【００２７】
ガイドレール４０は、磁性体により形成されている。ここで、ガイドレール４０は、鉄、コバルト、鉄及びコバルトのうち少なくとも一方を含有する合金等の強磁性材料によって形成されることが好ましい。特に、ガイドレール４０は、鉄、ケイ素鋼、パーマロイ、センダスト、パーメンジュール、ソフトフェライト等の軟磁性材料によって形成されることが好ましい。
【００２８】
本実施形態では、ガイドレール４０は、磁性体の材料により形成された１枚の板材を、樹脂により形成された２枚の板材の間に挟み込むことによって形成されている。なお、ガイドレール４０は、磁性体により形成された板材のみによって形成されていても構わない。また、ガイドレール４０は、磁性体により形成された板材の表面にメッキ加工が施されることによって形成されていても構わない。
【００２９】
図４に示すように、ガイドレール４０は、磁気検出部４１を有している。磁気検出部４１は、ガイドレール４０における他の部分と一連に形成されている。磁気検出部４１は、ガイドレール４０における他の部分と比べて複雑な形状に形成されている。本実施形態では、磁気検出部４１は、ガイドレール４０の一部を背面側に向かって突起（突出）させることによって、ガイドレール４０における他の部分比較して複雑な形状に形成されている。なお、磁気検出部４１は、ガイドレール４０の背面側に向かって突起する部分を折り曲げることによって、ガイドレール４０における他の部分と比較して複雑な形状に形成しても構わない。この際、磁気検出部４１は、突起する部分を谷状、波状に折り曲げることによって、ガイドレール４０における他の部分と比較して複雑な形状に形成しても構わない。さらに、磁気検出部４１は、ガイドレール４０において凹部、切欠き部等を設けることによって、ガイドレール４０における他の部分と比較して複雑な形状に形成しても構わない。この際、磁気検出部４１は、谷状、波状の凹部によって、複雑な形状に形成しても構わない。
【００３０】
また、磁気検出部４１は、ガイドレール４０とは別個の磁性体により形成された部材を、ガイドレール４０にネジ止め等により固定して形成しても構わない。磁気検出部４１は、ガイドレール４０における第二始動入賞装置の側方の位置及び一般入賞口の側方の位置のそれぞれに設けられている。
磁気検出手段５０は、磁気（磁界）の変化を検出することが可能な磁気センサである。磁気検出手段５０は、磁気の変化を検出した場合に、検出信号を後述する主制御装置２１０に対して送信する。磁気検出手段５０としては、例えば、磁性体により形成された２つの磁気検出片が所定間隔で対向するように配置されてなるリードスイッチを用いることができる。リードスイッチでは、外部から磁界が加わった際に、磁気検出片が磁化されることによって、２つの磁気検出片が互いに接触して検出信号を出力する。
【００３１】
磁気検出手段５０は、磁気検出部４１の磁気の変化を検出することができるように配設されている。本実施形態では、２つの磁気検出手段５０が配設される。各磁気検出手段５０は、内ガイドレール部３２の各センサ取り付け部３８に取り付けられる。これによって、磁気検出手段５０は、磁気検出部４１の背面側に配設されている。
なお、磁気検出手段５０は、ガイドレールユニット３０の背面に凹部を設けて、この凹部内に取り付けても構わない。この場合には、磁気検出手段５０は、ガイドレール４０の外側（遊技領域Ｒを中心とした外側）に配設される。したがって、背面側に向かって突出する磁気検出部４１を折り曲げて、この磁気検出部４１の先端部を凹部内に配設する。または、ガイドレール４０の外側面から外側に向かって突出する磁気検出部４１を設け、この磁気検出部４１の先端部を凹部内に配設する。そして、凹部内において、磁気検出手段５０を、磁気検出部４１の磁気の変化を検出することができるように配設する。
【００３２】
（制御系の構成）
次に、パチンコ機１における制御系の構成を説明する。
図５は、パチンコ機の制御系の構成を示すブロック図である。
図５に示すように、パチンコ機１は、第一始動入賞装置スイッチ１３１ａと、第二始動入賞装置スイッチ１３１ｂと、大入賞装置スイッチ１３２と、ゲート装置スイッチ１３３と、一般入賞口スイッチ１３４と、を備えている。
【００３３】
第一始動入賞装置スイッチ１３１ａは、第一始動入賞装置への遊技球の入賞を検出し、検出信号を主制御装置２１０に送信する。第二始動入賞装置スイッチ１３１ｂは、第二始動入賞装置への遊技球の入賞を検出し、検出信号を主制御装置２１０に送信する。主制御装置２１０は、始動入賞装置スイッチ１３１ａ，１３１ｂからの検出信号の入力に応じて、特別図柄抽選を実行する。そして、主制御装置２１０は、特別図柄抽選に当選した場合に、大入賞装置を所定パターンで開閉させる処理を実行する。
【００３４】
大入賞装置スイッチ１３２は、大入賞装置への遊技球の入賞を検出し、検出信号を主制御装置２１０に送信する。主制御装置２１０は、大入賞装置スイッチ１３２からの検出信号の入力に応じて、賞球を払い出すための処理を実行する。
ゲート装置スイッチ１３３は、遊技球によるゲート装置の通過を検出し、検出信号を主制御装置２１０に送信する。主制御装置２１０は、ゲート装置スイッチ１３３からの検出信号の入力に応じて、普通図柄抽選を実行する。そして、主制御装置２１０は、普通図柄抽選に当選した場合に、第二始動入賞装置を所定パターンで開閉させる処理を実行する。
一般入賞口スイッチ１３４は、一般入賞口への遊技球の入賞を検出し、検出信号を主制御装置２１０に送信する。主制御装置２１０は、一般入賞口スイッチ１３４からの検出信号の入力に応じて、賞球を払い出すための処理を実行する。
【００３５】
また、パチンコ機１は、制御部として、主制御装置２１０と、演出制御装置１５０と、を備えている。不正行為防止等のため、主制御装置２１０及び演出制御装置１５０は、それぞれ別々の基板に実装される。また、主制御装置２１０から演出制御装置１５０への一方向にのみデータの送信が可能となっている。
主制御装置２１０は、各スイッチ１３１ａ，１３１ｂ，１３３からの検出信号の入力に応じて、各種の乱数値を取得（抽選）する。そして、主制御装置２１０は、取得した各種乱数値に基づいて、制御コマンドの送信及び遊技全体の制御を行う。
【００３６】
また、主制御装置２１０は、磁気検出手段５０からの検出信号の入力に応じて、エラー報知処理を実行する。エラー報知処理では、主制御装置２１０は、エラー報知コマンドを演出制御装置１５０に送信するとともに、エラー信号をホールコンピュータ５００に送信する。
演出制御装置１５０は、主制御装置２１０からの制御コマンドの入力に応じて、所定のプログラムにしたがって演出処理を実行する。具体的には、演出制御装置１５０は、表示装置１５１における画像の表示の制御、ランプ１５２の点灯・点滅の制御及びスピーカ１５３からの効果音の出力の制御のそれぞれを実行する。
そして、演出制御装置１５０は、主制御装置２１０からのエラー報知コマンドの入力に応じて、エラー報知を行う。本実施形態では、エラー報知として、表示装置１５１におけるエラー画像の表示、ランプ１５２の点灯及びスピーカ１５３からの警告音の出力を行う。
【００３７】
（パチンコ機１の作用）
次に、パチンコ機１の作用について説明する。
発射ハンドル６を操作することによって発射された遊技球は、案内通路Ｓ１によって案内されて、遊技領域Ｒの上部に進入する。そして、遊技領域Ｒの上部に進入した遊技球は、左側転動路Ｓ２又は右側転動路Ｓ３を下方に向かって転動する。
左側転動路Ｓ２を転動する遊技球は、第一始動入賞装置、大入賞装置、一般入賞口に向かって転動する。また、右側転動経路Ｓ３を転動する遊技球は、ゲート装置、第二始動入賞装置に向かって転動する。
パチンコ機１では、前扉４の透明板４ａの正面側に磁石を配置して、この磁石の磁力によって遊技球を入賞装置、入賞口等に誘導する不正行為が行われる恐れがある。
【００３８】
一方、パチンコ機１では、遊技領域Ｒの外周の略全体を区画するガイドレール４０が磁性体により形成されている。また、磁気検出手段５０が、ガイドレール４０の磁気（磁界）の変化を検出するように配設されている。
これにより、磁石がガイドレール５０付近に配置されると、この磁石の磁気によって、ガイドレール４０が磁化されて磁気を帯びる（ガイドレール４０の磁気が変化する）。そして、ガイドレール４０が磁気を帯びると、磁気検出手段５０が、このガイドレール４０の磁気の変化を検出して、検出信号を主制御装置２１０に対して送信する。
【００３９】
そして、主制御装置２１０は、検出信号の受信に応じて、エラー報知処理を実行する。これにより、表示装置１５１におけるエラー画像の表示、ランプ１５２の点灯及びスピーカ１５３からの警告音の出力が行われる。また、エラー信号がホールコンピュータ５００に対して送信される。
このように、パチンコ機１では、磁気検出手段５０により磁気の変化を検出することが可能な範囲を広げることが可能となる。
特に、本実施形態では、ガイドレール４０は、遊技領域Ｒの外周の略全体を区画している。したがって、磁気検出手段５０により磁気の変化を検出することが可能な範囲を、左側転動路Ｓ２及び右側転動路Ｓ３のそれぞれにまで広げることができる。
【００４０】
また、パチンコ機１では、磁気検出手段５０が、ガイドレール４０の磁気検出部４１の磁気の変化を検出するように配設されている。ここで、磁気検出部４１は、ガイドレール４０の他の部分と比べて複雑な形状に形成されている。
これにより、磁石による外部磁界がガイドレール４０に加わった場合に、磁気検出部４１の磁気の変化量が、ガイドレール４０における他の部分の磁気の変化量と比べて大きくなる。したがって、磁気検出手段５０による磁気の変化の検出精度をより高めることが可能となる。
【００４１】
また、パチンコ機１では、ガイドレール４０は、軟磁性材料により形成されている。ここで、軟磁性材料とは、保磁力が小さい性質を有している。
これにより、ガイドレール４０において磁気が保持され難くなる。したがって、磁石による外部磁界が無くなった後に、ガイドレール４０が磁気を保持し続けることによる磁気検出手段５０の誤検出を防止することが可能となる。
さらに、パチンコ機１では、磁気検出手段５０は、ガイドレール４０が取り付けられるガイドレールユニット３０に配設されている。
これにより、遊技盤１０（セル板２０）の構成を問わずに、ガイドレール４０及び磁気検出手段５０を適用することができ、汎用性を向上することが可能となる。
【００４２】
（変形例）
以上、本発明の実施形態について説明したが、上記実施形態では、種々の変更を行うことが可能である。
例えば、上記実施形態では、ガイドレール４０は、内側面３１ｂ、内側面３３ａ及び内側面３４ａを覆うように形成されている。しかしながら、ガイドレール４０は、ガイドレールユニット３０のうち内ガイドレール部３２にのみ設けても構わない。この場合、ガイドレール４０は、内側面３３ａ及び内側面３４ａを覆うように形成する。この場合も、磁気検出手段５０により磁気の変化を検出することが可能な範囲を、左側転動路Ｓ２及び右側転動路Ｓ３のそれぞれにまで広げることができる。
【００４３】
また、ガイドレール４０は、ガイドレールユニット３０の全体に設けても構わない。
また、磁気検出手段５０を配設する位置及び配置する磁気検出手段５０の数は、適宜変更することができる。これに伴い、ガイドレール４０において磁気検出部４１を設ける位置及び磁気検出部４１設ける数も変更される。
さらに、本実施形態では、遊技盤１０において、大入賞装置を１つ配設している。しかしながら、遊技盤１０の右側転動経路Ｓ２において、２つ目の大入賞装置（以下、第二大入賞地とする）を配設する構成としても構わない。この場合にも、ガイドレール４０によって、右側転動路Ｓ３が磁気検出手段５０により磁気の変化を検出することが可能な範囲に含まれるため、磁石を用いて遊技球を第二大入賞装置に誘導する不正行為を検出することが可能となる。
【００４４】
（第一実施例）
次に、本発明の第一実施例について説明する。
図６は、第一実施例に係るガイドレール及び磁石の配置を示す図である。図７は、各ガイドレール４０ａ，４０ｂ，４０ｃを用いた場合の磁気検出範囲を示す図である。
本実施例では、鉄板の厚さが異なる３つのガイドレール４０ａ，４０ｂ，４０ｃを用意し、各ガイドレール４０ａ，４０ｂ，４０ｃを用いた場合の磁気検出手段５０により磁気の変化を検出することが可能な範囲（以下、磁気検出範囲とする）を調べた。
【００４５】
各ガイドレール４０ａ，４０ｂ，４０ｃは、１枚の鉄板を、２枚の樹脂板の間に挟み込むことによって形成した。各樹脂板の厚さは、２ｍｍとなっている。ガイドレール４０ａは、厚さ０．６ｍｍの鉄板を用いている。ガイドレール４０ｂは、厚さ１．０ｍｍの鉄板を用いている。ガイドレール４０ｃは、厚さ２．０ｍｍの鉄板を用いている。
各ガイドレール４０ａ，４０ｂ，４０ｃの幅は、１５ｍｍとなっている。各ガイドレール４０ａ，４０ｂ，４０ｃの長さは、３９０ｍｍとなっている。そして、各ガイドレール４０ａ，４０ｂ，４０ｃの一方側の端部には、磁気検出部４１が設けられている。
【００４６】
図６に示すように、各ガイドレール４０ａ，４０ｂ，４０ｃの磁気検出部４１の背面側に磁気検出手段５０を配設して、磁気検出手段５０により磁気検出部４１の磁気の変化を検出した。そして、各ガイドレール４０ａ，４０ｂ，４０ｃの前端から前扉４の透明板４ａまでの距離（以下、磁石距離とする）を２０ｍｍとして、前扉４の透明板４ａの正面に沿って磁石ｍを移動させて、磁気検出範囲を調べた。
その結果、図７に示すように、ガイドレール４０ａ，４０ｂ，４０ｃを用いた場合の磁気検出範囲Ｍａ，Ｍｂ，Ｍｃは、ガイドレール４０を用いていない場合の磁気検出範囲Ｍｄ（Φ１００ｍｍ）よりも広くなっていることが判る。
【００４７】
また、磁気検出範囲は、ガイドレール４０ｃ（磁気検出範囲Ｍｃ）、ガイドレール４０ｂ（磁気検出範囲Ｍｂ）、ガイドレール４０ａ（磁気検出範囲Ｍａ）の順に広くなっている。すなわち、ガイドレール４０を構成する鉄板の厚さが大きいほど、磁気検出範囲が広くなっている。
このように、ガイドレール４０を用いることによって、磁気検出範囲を広げることができることが判る。
【００４８】
（第二実施例）
次に、本発明の第二実施例について説明する。
図８は、第二実施例に係るガイドレール及び磁石の配置を示す図である。図９は、ガイドレール４０ａを用いた場合の磁気検出範囲を示す図である。図１０は、ガイドレール４０ｂを用いた場合の磁気検出範囲を示す図である。図１１は、ガイドレール４０ｃを用いた場合の磁気検出範囲を示す図である。
【００４９】
本実施例では、各ガイドレール４０ａ，４０ｂ，４０ｃと磁石との距離を変化させて、各ガイドレール４０ａ，４０ｂ，４０ｃを用いた場合の磁気検出範囲を調べた。
各ガイドレール４０ａ，４０ｂ，４０ｃの構成及び磁気検出手段４１の配置は、第一実施形態と同様である。
図８に示すように、磁石距離が２０ｍｍの場合、磁石距離が３０ｍｍの場合、磁石距離が４０ｍｍの場合及び磁石距離が５０ｍｍの場合のそれぞれについて、各ガイドレール４０ａ，４０ｂ，４０ｃを用いた場合の磁気検出範囲を調べた。
【００５０】
その結果、図９から図１１に示すように、磁気検出範囲は、概ね、磁石距離が２０ｍｍの場合（磁気検出範囲Ｍ１）、磁石距離が３０ｍｍの場合（磁気検出範囲Ｍ２）、磁石距離が４０ｍｍの場合（磁気検出範囲Ｍ３）、磁石距離が５０ｍｍの場合（磁気検出範囲Ｍ４）の順に広くなっている。すなわち、ガイドレール４０と磁石ｍとの距離が近いほど、磁気検出範囲が大きくなっている。
この場合にも、ガイドレール４０を用いることによって、磁気検出範囲を広げることができることが判る。
【符号の説明】
【００５１】
１      パチンコ機
４      前扉
４ａ    透明板
１０    遊技盤
２０    セル板
３０    ガイドレールユニット
３１    外ガイドレール部
３１ａ  内側面
３１ｂ  内側面
３２    内ガイドレール部
３３    第一構成部
３３ａ  内側面
３４    第二構成部
３４ａ  内側面
３４ｂ  外側面
３８    センサ取り付け部
４０    ガイドレール
４１    磁気検出部
５０    磁気検出手段
１５０  演出制御装置
１５１  表示装置
１５２  ランプ
１５３  スピーカ
２１０  主制御装置
Ｒ      遊技領域
Ｓ１    案内通路
Ｓ２    左側転動経路
Ｓ３    右側転動経路
【図１】
2012161519.tif 000003
【図２】
2012161519.tif 000004
【図３】
2012161519.tif 000005
【図４】
2012161519.tif 000006
【図５】
2012161519.tif 000007
【図６】
2012161519.tif 000008
【図７】
2012161519.tif 000009
【図８】
2012161519.tif 000010
【図９】
2012161519.tif 000011
【図１０】
2012161519.tif 000012
【図１１】
2012161519.tif 000013